(57)【要約】【課題】タンクの注入口が開放された状態で傾けられても、タンク内の液体が外部に流出しにくい液体消費装置を提供すること。【解決手段】インクタンク２０１は、インクタンク２０１の使用姿勢において、左外壁５６から右方へ延びる第１内壁６１を有している。第１内壁６１は、内部空間５７を注入口５８が位置する第１空間１０１と、流出口５９が位置する第２空間１０２と、に区画する。第１内壁６１は、第１空間１０１と第２空間１０２とを連通する連通孔７１を有している。【選択図】図３
2018171874.tif 000002
【特許請求の範囲】
【請求項１】
外壁によって外部と区画された内部空間、及び、当該内部空間を外部と連通する注入口及び流出口を有するタンクと、
上記流出口に接続された液体消費部と、を備えており、
上記タンクは、上記タンクの使用姿勢において、上記外壁から上下方向に直交する第１方向の一方の向きへ延びる第１内壁を有しており、
上記第１内壁は、上記内部空間を上記注入口が位置する第１空間と、上記流出口が位置する第２空間と、に区画し、当該第１空間と当該第２空間とを連通する第１連通孔を有しており、
上記タンクが上記使用姿勢から、上下方向及び上記第１方向に直交する第２方向に沿った軸回りの上記第１方向の他方の向きに０から９０度まで回転する第１回転姿勢において、上記第１内壁及び上記外壁により区画され、且つ上記第１連通孔を区画する面の最下位置より下方となる第３空間は、上記使用姿勢において上記第２空間の一部である第４空間に貯留される所定量の液体を貯留可能である液体消費装置。
【請求項２】
上記タンクは、上記使用姿勢において、上記第１内壁の上記第１連通孔よりも上記他方の向きに位置する部分から下方に延びる第２内壁を備えており、
上記第２内壁は、上記第１回転姿勢において、上記第２空間を、上記第２内壁よりも上方に位置する第５空間と、上記第２内壁よりも下方に位置する第６空間と、に区画し、当該第５空間と当該第６空間とを連通する第２連通孔を有しており、
上記タンクが上記使用姿勢から上記第２方向に沿った軸回りの上記他方の向きに９０から１８０度まで回転する第２回転姿勢において、上記第１内壁、上記第２内壁、及び上記外壁により区画され、且つ上記第２内壁の上記第２連通孔を区画する面の最下位置より下方となる第７空間は、上記使用姿勢において上記第４空間に貯留された液体を貯留可能である請求項１に記載の液体消費装置。
【請求項３】
上記タンクは、上記使用姿勢において、上記第２内壁の上記第２連通孔よりも上方に位置する部分から上記第１方向の上記他方の向きに延びる第３内壁を備えており、
上記第３内壁は、上記第２回転姿勢において、上記第６空間を、上記第３内壁よりも上方に位置する第８空間と、上記第３内壁よりも下方に位置する第９空間と、に区画し、当該第８空間と当該第９空間とを連通する第３連通孔を有しており、
上記タンクが上記使用姿勢から上記第２方向に沿った軸回りの上記他方の向きに１８０から２７０度まで回転する第３回転姿勢において、上記第１内壁、上記第２内壁、上記第３内壁、及び上記外壁により区画され、且つ上記第３内壁の上記第３連通孔を区画する面の最下位置より下方となる第１０空間は、上記使用姿勢において上記第４空間に貯留された液体を貯留可能である請求項２に記載の液体消費装置。
【請求項４】
上記使用姿勢において、上記第１内壁は、上記外壁から上記一方の向きに延びるにつれて、下方に向かう上面を有している請求項１から３のいずれかに記載の液体消費装置。
【請求項５】
上記使用姿勢において、上記第２内壁は、上記第１内壁から下方に延びるにつれて、上記他方の向きに向かう上記一方の向きの側面を有している請求項２から４のいずれかに記載の液体消費装置。
【請求項６】
上記使用姿勢において、上記第３内壁は、上記他方の向きに延びるにつれて、上方に向かう下面を有している請求項３から５のいずれかに記載の液体消費装置。
【請求項７】
上記使用姿勢において、上記第３内壁は、上記他方の向きに延びるにつれて、下方に向かう上面を有している請求項３から６のいずれかに記載の液体消費装置。
【請求項８】
上記タンクが上記使用姿勢から上記第２方向に沿った軸回りの上記一方の向きに０から９０度まで回転する第４回転姿勢において、上記内部空間のうち上記外壁により区画され、且つ上記注入口よりも下方となる第１１空間は、上記使用姿勢において上記第４空間に貯留された液体を貯留可能である請求項１から７に記載の液体消費装置。
【請求項９】
上記タンクは、上記使用姿勢において、上記第２内壁から上記他方の向きに延びる第４内壁を備えており、上記第４内壁は上記第１内壁の下方且つ上記第３内壁よりも上方に位置しており、
上記第４内壁は、上記使用姿勢において、上記第９空間を、上記第４内壁よりも上方に位置する空間と、上記第４内壁よりも下方に位置する空間と、に区画し、当該上方に位置する空間と当該下方に位置する空間とを連通する第４連通孔を有している請求項２から７のいずれかに記載の液体消費装置。
【請求項１０】
上記タンクは、上記使用姿勢において、上記外壁から下方に延びる第５内壁を備えており、
上記第５内壁は、上記使用姿勢において、上記第１空間を、上記注入口が位置する第１２空間と、当該第１２空間よりも上記一方の向きに位置する第１３空間と、に区画し、当該第１２空間と当該第１３空間とを連通する第５連通孔を有しており、
上記タンクが上記使用姿勢から上記第２方向に沿った軸回りの上記一方の向きに９０から１８０度まで回転する第５回転姿勢において、上記第５内壁及び上記外壁によって区画され、且つ上記第５内壁の上記第５連通孔を区画する面の最下位置より下方の空間となる第１４空間は、上記タンクが上記第２方向に沿った軸回りの上記一方の向きに回転して上記使用姿勢から上記第５回転姿勢になる間に上記第４空間から上記第５空間を経由して上記第１４空間に流れ込む液体の全量を貯留可能である請求項３から７及び９のいずれかに記載の液体消費装置。
【請求項１１】
上記使用姿勢において、上記第５内壁の少なくとも下部は、下方に向かうにつれて、上記一方の向きに向かっており、
上記タンクが上記使用姿勢から上記第２方向に沿った軸回りの上記一方の向きに１８０から２７０度まで回転する第６回転姿勢において、上記第５内壁及び上記外壁によって区画され、且つ上記第５内壁の上記第５連通孔を区画する面の最下位置より下方の空間となる第１５空間は、上記第５回転姿勢において上記第１４空間に貯留されている液体を貯留可能である請求項１０に記載の液体消費装置。
【請求項１２】
外壁によって外部と区画された内部空間、及び、当該内部空間を外部と連通する注入口及び流出口を有するタンクと、
上記流出口に接続された液体消費部と、を備えており、
上記タンクは、上記タンクの使用姿勢において、
上記外壁から、上下方向に直交する第１方向の一方の向きに延びる第６内壁であって、上記内部空間を、上記注入口が位置する第２０空間と、上記流出口が位置する第２１空間とに区画し、当該第２０空間と当該第２１空間とを連通する第６連通孔を有する第６内壁と、
上記第６内壁の一部に位置し、且つ、上記第６内壁の上記第６連通孔よりも上記他方の向きに位置する部分から上記他方の向きに延びる第７内壁であって、上記第２１空間を、上方に位置する第２２空間と、下方に位置する第２３空間とに区画し、当該第２２空間と当該第２３空間とを連通する第７連通孔を有する第７内壁と、
上記第７内壁よりも下方に位置し、且つ、上記外壁から上記他方の向きに延びる第８内壁であって、上記第２３空間を、上方に位置する第２４空間と、下方に位置する第２５空間とに区画し、当該第２４空間と当該第２５空間とを連通する第８連通孔を有する第８内壁と、
上記第８内壁の上記第８連通孔よりも上記一方の向きに位置する部分から下方に延びる第９内壁であって、上記第２５空間を、上記他方の向きに位置する第２６空間と、上記一方の向きに位置する第２７空間とに区画し、当該第２６空間と当該第２７空間とを連通する第９連通孔を有する第９内壁と、
上記第９内壁の上記第９連通孔よりも上方に位置する部分から上記一方の向きに延びる第１０内壁であって、上記第２７空間を、上方に位置する第２８空間と、下方に位置する第２９空間とに区画し、当該第２８空間と当該第２９空間とを連通する第１０連通孔を有する第１０内壁と、を備えており、
上記使用姿勢において、上記外壁には、上記第８内壁の下方に位置して上記第２５空間に貯留される最大液体量を示す満量ラインが示されており、
上記タンクが上記使用姿勢から上記第２方向に沿った軸回りの上記他方の向きに０から９０度まで回転する第１回転姿勢において、上記第８内壁、上記第９内壁、上記第１０内壁、及び上記外壁によって区画され、且つ上記第１０内壁の上記第１０連通孔を区画する面の最下位置より下方となる第３０空間と、上記第７内壁及び上記外壁によって区画され、且つ上記第７内壁の上記第７連通孔を区画する面の最下位置より下方となる第３１空間とは、上記使用姿勢において上記満量ラインより下方の第３２空間に貯留された液体を貯留可能であり、
上記タンクが上記使用姿勢から上記第２方向に沿った軸回りの上記他方の向きに９０から１８０度まで回転する第２回転姿勢において、上記第２８空間と上記第２２空間とは、上記使用姿勢において上記第３２空間に貯留された液体を貯留可能であり、
上記タンクが上記使用姿勢から上記第２方向に沿った軸回りの上記他方の向きに１８０から２７０度まで回転する第３回転姿勢において、第２７空間と、上記第６内壁、上記第７内壁、及び上記外壁によって区画され、且つ上記第７内壁の上記第７連通孔を区画する面の最下位置より下方となる第３３空間とは、上記使用姿勢において上記第３２空間に貯留された液体を貯留可能である液体消費装置。
【請求項１３】
上記タンクは、上記使用姿勢において、
上記第１０内壁よりも下方に位置し、且つ、上記外壁から上記一方の向きに延びる第１１内壁であって、上記第２９空間を、上方に位置する第３４空間と、下方に位置する第３５空間とに区画し、当該第３４空間と当該第３５空間とを連通する第１１連通孔を有する第１１内壁と、
上記第１１内壁の上記第１１連通孔よりも上記他方の向きに位置する部分から下方に延びる第１２内壁であって、上記第３５空間を、上記一方の向きに位置する第３６空間と、上記他方の向きに位置する第３７空間とに区画し、当該第３６空間と当該第３７空間とを連通する第１２連通孔を有する第１２内壁と、
上記第１２内壁の上記第１２連通孔よりも上方に位置する部分から上記他方の向きに延びる第１３内壁であって、上記第３７空間を、上方に位置する第３８空間と、下方に位置する第３９空間とに区画し、当該第３８空間と当該第３９空間とを連通する第１３連通孔を有する第１３内壁と、を備えている請求項１２に記載の液体消費装置。
【請求項１４】
使用姿勢において、上記第８内壁、上記第９内壁、及び上記第１０内壁は、上記第１１内壁の上方と、上記第１３内壁の下方とに設けられている請求項１３に記載の液体消費装置。
【請求項１５】
上記使用姿勢において、上記外壁には、上記第１内壁の下方に位置して上記第２空間に貯留される最大液体量を示す満量ラインが示されており、上記所定量の液体は、上記満量ラインより下方の空間に貯留されたものである請求項１から１４のいずれかに記載の液体消費装置。
【発明の詳細な説明】
【技術分野】
【０００１】
本発明は、液体を貯留するタンクを有する液体消費装置に関する。
【背景技術】
【０００２】
従来、インクを貯留する大容量の貯留室を有するタンクを備えた画像記録装置が知られている。このタンクは、外部から貯留室にインクを注入する注入口と、この注入口を開閉する蓋部材とを備えている。この画像記録装置は、蓋部材を露出可能に、筐体に開閉可能に設けられたカバーを備えている。このカバーが開かれた状態で蓋部材が外されると、インクがタンクの貯留室内に注入可能である（例えば、特許文献１参照）。
【先行技術文献】
【特許文献】
【０００３】
【特許文献１】特開２０１６−１６８７２８号公報
【発明の概要】
【発明が解決しようとする課題】
【０００４】
上記画像記録装置では、蓋部材が外された状態でカバーを閉じることが可能である。カバーが閉じられると、ユーザは、蓋部材が閉じられているか否かが視認できないため、蓋部材が外された状態で画像記録装置が搬送される場合がある。この搬送に際して画像記録装置が傾けられると、タンク内のインクが画像記録装置から外部に流出してしまう。その結果、インクによってユーザの衣服又は床が汚されたり、輸送中の場合は他の荷物が汚されてしまう。
【０００５】
本発明は、上記問題に鑑みてなされたものであり、その目的は、タンクの注入口が開放された状態で傾けられても、タンク内の液体が外部に流出しにくい液体消費装置を提供することである。
【課題を解決するための手段】
【０００６】
(1)  本発明に係る液体消費装置は、外壁によって外部と区画された内部空間、及び、当該内部空間を外部と連通する注入口及び流出口を有するタンクと、上記流出口に接続された液体消費部と、を備えており、上記タンクは、上記タンクの使用姿勢において、上記外壁から上下方向に直交する第１方向の一方の向きへ延びる第１内壁を有しており、上記第１内壁は、上記内部空間を上記注入口が位置する第１空間と、上記流出口が位置する第２空間と、に区画し、当該第１空間と当該第２空間とを連通する第１連通孔を有しており、上記タンクが上記使用姿勢から、上下方向及び上記第１方向に直交する第２方向に沿った軸回りの上記第１方向の他方の向きに０から９０度まで回転する第１回転姿勢において、上記第１内壁及び上記外壁により区画され、且つ上記第１連通孔を区画する面の最下位置より下方となる第３空間は、上記使用姿勢において上記第２空間の一部である第４空間に貯留される所定量の液体を貯留可能である。
【０００７】
上記構成によれば、タンクの姿勢が使用姿勢から第２方向に沿った軸回りの他方の向きに０から９０度まで回転する第１回転姿勢に変更されても、使用姿勢において満量ラインよりも下方の第４空間に蓄えられていた液体は、第３空間に蓄えられる。したがって、注入口が開放された状態でタンクが第２方向の軸周りに回転しても、内部空間内の液体が外部に流出しにくい。
【０００８】
(2)  好ましくは、上記タンクは、上記使用姿勢において、上記第１内壁の上記連通孔よりも上記他方の向きに位置する部分から下方に延びる第２内壁を備えており、上記第２内壁は、上記第１回転姿勢において、上記第２空間を、上記第２内壁よりも上方に位置する第５空間と、上記第２内壁よりも下方に位置する第６空間と、に区画し、当該第５空間と当該第６空間とを連通する連通孔を有しており、上記タンクが上記使用姿勢から上記第２方向に沿った軸回りの上記他方の向きに９０から１８０度まで回転する第２回転姿勢において、上記第１内壁、上記第２内壁、及び上記外壁により区画され、且つ上記第２内壁の上記連通孔を区画する面の最下位置より下方となる第７空間は、上記使用姿勢において上記第４空間に貯留された液体を貯留可能である。
【０００９】
上記構成によれば、タンクの姿勢が使用姿勢から第２方向に沿った軸回りの他方の向きに９０から１８０度まで回転する第２回転姿勢に変更されても、使用姿勢において満量ラインよりも下方の第４空間に蓄えられていた液体は、第７空間に蓄えられる。したがって、注入口が開放された状態でタンクが第２方向の軸周りに回転しても、内部空間内の液体が外部に流出しにくい。
【００１０】
(3)  好ましくは、上記タンクは、上記使用姿勢において、上記第２内壁の上記連通孔よりも上方に位置する部分から上記第１方向の上記他方の向きに延びる第３内壁を備えており、上記第３内壁は、上記第２回転姿勢において、上記第６空間を、上記第３内壁よりも上方に位置する第８空間と、上記第３内壁よりも下方に位置する第９空間と、に区画し、当該第８空間と当該第９空間とを連通する連通孔を有しており、上記タンクが上記使用姿勢から上記第２方向に沿った軸回りの上記他方の向きに１８０から２７０度まで回転する第３回転姿勢において、上記第１内壁、上記第２内壁、上記第３内壁、及び上記外壁により区画され、且つ上記第３内壁の上記連通孔を区画する面の最下位置より下方となる第１０空間は、上記使用姿勢において上記第４空間に貯留された液体を貯留可能である。
【００１１】
上記構成によれば、タンクの姿勢が使用姿勢から第２方向に沿った軸回りの他方の向きに１８０から２７０度まで回転する第３回転姿勢に変更されても、使用姿勢において満量ラインよりも下方の第４空間に蓄えられていた液体は、第１０空間に蓄えられる。したがって、注入口が開放された状態でタンクが第２方向の軸周りに回転しても、内部空間内の液体が外部に流出しにくい。
【００１２】
(4)  好ましくは、上記使用姿勢において、上記第１内壁は、上記外壁から上記一方の向きに延びるにつれて、下方に向かう上面を有している。
【００１３】
上記構成によれば、使用姿勢において第１内壁が一方の向きに延びるにつれて第１内壁の上面が下方に向かうので、タンクの姿勢が使用姿勢にあるときに、液体が第１内壁の上に溜まることが防止される。そのため、タンクの姿勢が使用姿勢にあるときに液体消費部において使用不可能な液体が発生することが防止できる。
【００１４】
(5)  好ましくは、上記使用姿勢において、上記第２内壁は、上記第１内壁から下方に延びるにつれて、上記他方の向きに向かう上記一方の向きの側面を有している。
【００１５】
上記構成によれば、使用姿勢において第２内壁が下方に延びるにつれて第２内壁の側面が他方の向きに向かうので、タンクの姿勢が第１回転姿勢にあるときに、液体が第２内壁の上に溜まることが防止される。そのため、タンクの姿勢が使用姿勢にあるときに液体消費部において使用不可能な液体が発生することが防止できる。
【００１６】
(6)  好ましくは、上記使用姿勢において、上記第３内壁は、上記他方の向きに延びるにつれて、上方に向かう下面を有している。
【００１７】
上記構成によれば、使用姿勢において第３内壁が他方の向きに延びるにつれて第３内壁の下面が上方に向かうので、タンクの姿勢が第２回転姿勢にあるときに、第３内壁の上の液体が第９空間に向けて流れて、注入口に向けて流れない。そのため、液体が注入口からこぼれることが防止できる。
【００１８】
(7)  好ましくは、上記使用姿勢において、上記第３内壁は、上記第１方向において上記他方の向きに延びるにつれて、上下方向において下方に向かう上面を有している。
【００１９】
上記構成によれば、使用姿勢において第３内壁が他方の向きに延びるにつれて第３内壁の上面が下方に向かうので、タンクの姿勢が使用姿勢にあるときに、液体が第３内壁の上に溜まることが防止される。そのため、タンクの姿勢が使用姿勢にあるときに液体消費部において使用不可能な液体が発生することが防止できる。
【００２０】
(8)  好ましくは、上記タンクが上記使用姿勢から上記第２方向に沿った軸回りの上記一方の向きに０から９０度まで回転する第４回転姿勢において、上記内部空間のうち上記外壁により区画され、且つ上記注入口よりも下方となる第１１空間は、上記使用姿勢において上記第４空間に貯留された液体を貯留可能である。
【００２１】
上記構成によれば、タンクの姿勢が使用姿勢から第２方向に沿った軸回りの一方の向きに０から９０度まで回転する第４回転姿勢に変更されても、使用姿勢において満量ラインよりも下方の第４空間に蓄えられていた液体は、第１１空間に蓄えられやすい。したがって、注入口が開放された状態でタンクが第２方向の軸周りに回転しても、内部空間内の液体が外部に流出しにくい。
【００２２】
(9)  好ましくは、上記タンクは、上記使用姿勢において、上記第２内壁から上記他方の向きに延びる第４内壁を備えており、上記第４内壁は上記第１内壁の下方且つ上記第３内壁よりも上方に位置しており、上記第４内壁は、上記使用姿勢において、上記第９空間を、上記第４内壁よりも上方に位置する空間と、上記第４内壁よりも下方に位置する空間と、に区画し、当該上方に位置する空間と当該下方に位置する空間とを連通する連通孔を有している。
【００２３】
上記構成によれば、使用姿勢において第４内壁が第９空間を上下に区画しているので、タンクの姿勢が使用姿勢から第４回転姿勢に変更されるときに、第９空間から液体がこぼれにくく、注入口に向けて流れる液体の量が低減される。
【００２４】
(10)  好ましくは、上記タンクは、上記使用姿勢において、上記外壁から下方に延びる第５内壁を備えており、上記第５内壁は、上記使用姿勢において、上記第１空間を、上記注入口が位置する第１２空間と、当該第１２空間よりも上記一方の向きに位置する第１３空間と、に区画し、当該第１２空間と当該第１３空間とを連通する連通孔を有しており、上記タンクが上記使用姿勢から上記第２方向に沿った軸回りの上記一方の向きに９０から１８０度まで回転する第５回転姿勢において、上記第５内壁及び上記外壁によって区画され、且つ上記第５内壁の上記連通孔を区画する面の最下位置より下方の空間となる第１４空間は、上記タンクが上記第２方向に沿った軸回りの上記一方の向きに回転して上記使用姿勢から上記第５回転姿勢になる間に上記第４空間から上記第５空間を経由して上記第１４空間に流れ込む液体の全量を貯留可能である。
【００２５】
上記構成によれば、タンクが第５内壁を備えているので、タンクの姿勢が使用姿勢から第２方向に沿った軸回りの一方の向きに９０から１８０度まで回転する第５回転姿勢に変更されても、使用姿勢において満量ラインよりも下方の第４空間に蓄えられていた液体のうち、第６空間又は第７空間からこぼれた液体は、第１４空間に蓄えられる。したがって、注入口が開放された状態でタンクが第２方向の軸周りに回転しても、内部空間内の液体が外部に流出しにくい。
【００２６】
(11)  好ましくは、上記使用姿勢において、上記第５内壁の少なくとも下部は、下方に向かうにつれて、上記一方の向きに向かっており、上記タンクが上記使用姿勢から上記第２方向に沿った軸回りの上記一方の向きに１８０から２７０度まで回転する第６回転姿勢において、上記第５内壁及び上記外壁によって区画され、且つ上記第５内壁の上記連通孔を区画する面の最下位置より下方の空間となる第１５空間は、上記第５回転姿勢において上記第１４空間に貯留されている液体を貯留可能である。
【００２７】
上記構成によれば、タンクの姿勢が第５回転姿勢から第２方向に沿った軸回りの一方の向きに１８０から２７０度まで回転する第６回転姿勢に変更されても、第１４空間に蓄えられていた液体は、第１５空間に蓄えられる。したがって、注入口が開放された状態でタンクが第２方向の軸周りに回転しても、内部空間内の液体が外部に流出しにくい。
【００２８】
(12)  本発明に係る液体消費装置は、外壁によって外部と区画された内部空間、及び、当該内部空間を外部と連通する注入口及び流出口を有するタンクと、上記流出口に接続された液体消費部と、を備えており、上記タンクは、上記タンクの使用姿勢において、上記外壁から、上下方向に直交する第１方向の一方の向きに延びる第６内壁であって、上記内部空間を、上記注入口が位置する第２０空間と、上記流出口が位置する第２１空間とに区画し、当該第２０空間と当該第２１空間とを連通する連通孔を有する第６内壁と、上記第６内壁の一部に位置し、且つ、上記第６内壁の上記連通孔よりも上記他方の向きに位置する部分から上記他方の向きに延びる第７内壁であって、上記第２１空間を、上方に位置する第２２空間と、下方に位置する第２３空間とに区画し、当該第２２空間と当該第２３空間とを連通する連通孔を有する第７内壁と、上記第７内壁よりも下方に位置し、且つ、上記外壁から上記他方の向きに延びる第８内壁であって、上記第２３空間を、上方に位置する第２４空間と、下方に位置する第２５空間とに区画し、当該第２４空間と当該第２５空間とを連通する連通孔を有する第８内壁と、上記第８内壁の上記連通孔よりも上記一方の向きに位置する部分から下方に延びる第９内壁であって、上記第２５空間を、上記他方の向きに位置する第２６空間と、上記一方の向きに位置する第２７空間とに区画し、当該第２６空間と当該第２７空間とを連通する連通孔を有する第９内壁と、上記第９内壁の上記連通孔よりも上方に位置する部分から上記一方の向きに延びる第１０内壁であって、上記第２７空間を、上方に位置する第２８空間と、下方に位置する第２９空間とに区画し、当該第２８空間と当該第２９空間とを連通する連通孔を有する第１０内壁と、を備えており、上記使用姿勢において、上記外壁には、上記第８内壁の下方に位置して上記第２５空間に貯留される最大液体量を示す満量ラインが示されており、上記タンクが上記使用姿勢から上記第２方向に沿った軸回りの上記他方の向きに０から９０度まで回転する第１回転姿勢において、上記第８内壁、上記第９内壁、上記第１０内壁、及び上記外壁によって区画され、且つ上記第１０内壁の上記連通孔を区画する面の最下位置より下方となる第３０空間と、上記第７内壁及び上記外壁によって区画され、且つ上記第７内壁の上記連通孔を区画する面の最下位置より下方となる第３１空間とは、上記使用姿勢において上記満量ラインより下方の第３２空間に貯留された液体を貯留可能であり、上記タンクが上記使用姿勢から上記第２方向に沿った軸回りの上記他方の向きに９０から１８０度まで回転する第２回転姿勢において、上記第２８空間と上記第２２空間とは、上記使用姿勢において上記第３２空間に貯留された液体を貯留可能であり、上記タンクが上記使用姿勢から上記第２方向に沿った軸回りの上記他方の向きに１８０から２７０度まで回転する第３回転姿勢において、第２７空間と、上記第６内壁、上記第７内壁、及び上記外壁によって区画され、且つ上記第７内壁の上記連通孔を区画する面の最下位置より下方となる第３３空間とは、上記使用姿勢において上記第３２空間に貯留された液体を貯留可能である。
【００２９】
上記構成によれば、タンクの姿勢が使用姿勢から第２方向に沿った軸回りの他方の向きに０から９０度まで回転する第１回転姿勢に変更されると、使用姿勢において満量ラインよりも下方の第３２空間に蓄えられていた液体の一部は、第３０空間に蓄えられ、残りの一部は、第３１空間に蓄えられる。タンクの姿勢が第１回転姿勢から第２方向に沿った軸回りの他方の向きに９０から１８０度まで回転する第２回転姿勢に変更されると、第３０空間に蓄えられていた液体は第２８空間に蓄えられ、第３１空間に蓄えられていた液体は第２２空間に蓄えられる。タンクの姿勢が第２回転姿勢から第２方向に沿った軸回りの他方の向きに１８０から２７０度まで回転する第３回転姿勢に変更されると、第２８空間に蓄えられていた液体は第２７空間に蓄えられ、第２２空間に蓄えられていた液体は第３３空間に蓄えられる。
【００３０】
また、タンクの姿勢が使用姿勢から第２方向に沿った軸回りの一方の向きに回転して、第４回転姿勢、第５回転姿勢、及び第６回転姿勢のいずれに変更されても、使用姿勢において満量ラインよりも下方の第３２空間に蓄えられていた液体は、第８内壁、第９内壁、第１０内壁、及び外壁によって区画される空間に蓄えられる。
【００３１】
したがって、注入口が開放された状態でタンクが第２方向の軸周りに回転しても、内部空間内の液体が外部に流出しにくい。
【００３２】
(13)  好ましくは、上記タンクは、上記使用姿勢において、上記第１０内壁よりも下方に位置し、且つ、上記外壁から上記一方の向きに延びる第１１内壁であって、上記第２９空間を、上方に位置する第３４空間と、下方に位置する第３５空間とに区画し、当該第３４空間と当該第３５空間とを連通する連通孔を有する第１１内壁と、上記第１１内壁の上記連通孔よりも上記他方の向きに位置する部分から下方に延びる第１２内壁であって、上記第３５空間を、上記一方の向きに位置する第３６空間と、上記他方の向きに位置する第３７空間とに区画し、当該第３６空間と当該第３７空間とを連通する連通孔を有する第１２内壁と、上記第１２内壁の上記連通孔よりも上方に位置する部分から上記他方の向きに延びる第１３内壁であって、上記第３７空間を、上方に位置する第３８空間と、下方に位置する第３９空間とに区画し、当該第３８空間と当該第３９空間とを連通する連通孔を有する第１３内壁と、を備えている。
【００３３】
(14)  好ましくは、使用姿勢において、上記第８内壁、上記第９内壁、及び上記第１０内壁は、上記第１１内壁の上方と、上記第１３内壁の下方とに設けられている。
【００３４】
(15)  好ましくは、上記使用姿勢において、上記外壁には、上記第１内壁の下方に位置して上記第２空間に貯留される最大液体量を示す満量ラインが示されており、上記所定量の液体は、上記満量ラインより下方の空間に貯留されたものである。
【発明の効果】
【００３５】
本発明に係る液体消費装置によれば、タンクの注入口が開放された状態で傾けられても、タンク内の液体が外部に流出しにくい。
【図面の簡単な説明】
【００３６】
【図１】図１は、第１実施形態に係るプリンタ１０の内部構造を模式的に示す縦断面図である。
【図２】図２は、キャリッジ３８及びインク供給装置３３の配置を示す平面図である。
【図３】図３（ａ）は、第１実施形態に係るインクタンク２０１の左上方から視た斜視図であり、図３（ｂ）は、図３（ａ）のＩＩＩＡ−ＩＩＩＡ矢視図である。
【図４】図４は、第１実施形態に係るインクタンク２０１の縦断面図であって、図４（ａ）は使用姿勢における縦断面図であり、図４（ｂ）は第１回転姿勢における縦断面図である。
【図５】図５は、第１実施形態に係るインクタンク２０１の縦断面図であって、図５（ａ）は使用姿勢における縦断面図であり、図５（ｂ）は第４回転姿勢における縦断面図である。
【図６】図６は、第２実施形態に係るインクタンク２０２の使用姿勢における縦断面図である。
【図７】図７は、第２実施形態に係るインクタンク２０２の縦断面図であって、図７（ａ）は使用姿勢における縦断面図であり、図７（ｂ）は第１回転姿勢における縦断面図であり、図７（ｃ）は第２回転姿勢における縦断面図である。
【図８】図８は、第２実施形態に係るインクタンク２０２の縦断面図であって、図８（ａ）は使用姿勢における縦断面図であり、図８（ｂ）は第４回転姿勢における縦断面図であり、図８（ｃ）は第５回転姿勢における縦断面図である。
【図９】図９（ａ）は第３実施形態に係るインクタンク２０３の使用姿勢における縦断面図であり、図９（ｂ）は第４実施形態に係るインクタンク２０４の使用姿勢における縦断面図である。
【図１０】図１０は、第５実施形態に係るインクタンク２０５の使用姿勢における縦断面図である。
【図１１】図１１は、第５実施形態に係るインクタンク２０５の縦断面図であって、図１１（ａ）は使用姿勢における縦断面図であり、図１１（ｂ）は第１回転姿勢における縦断面図であり、図１１（ｃ）は第１回転姿勢における縦断面図であり、図１１（ｄ）は第２回転姿勢における縦断面図である。
【図１２】図１２は、第５実施形態に係るインクタンク２０５の縦断面図であって、図１１（ａ）は使用姿勢における縦断面図であり、図１１（ｂ）は第４回転姿勢における縦断面図であり、図１１（ｃ）は第５回転姿勢における縦断面図であり、図１１（ｄ）は第６回転姿勢における縦断面図である。
【図１３】図１３（ａ）は第６実施形態に係るインクタンク２０６の使用姿勢における縦断面図であり、図１３（ｂ）は第７実施形態に係るインクタンク２０７の使用姿勢における縦断面図である。
【図１４】図１４は、第８実施形態に係るインクタンク２０８の使用姿勢における縦断面図である。
【図１５】図１５は、第８実施形態に係るインクタンク２０８の縦断面図であって、図１５（ａ）は使用姿勢における縦断面図であり、図１５（ｂ）は第４回転姿勢における縦断面図であり、図１５（ｃ）は第５回転姿勢における縦断面図であり、図１５（ｄ）は第６回転姿勢における縦断面図である。
【図１６】図１６は、第９実施形態に係るインクタンク２０９の使用姿勢における縦断面図である。
【図１７】図１７は、第９実施形態に係るインクタンク２０９の縦断面図であって、図１７（ａ）は使用姿勢における縦断面図であり、図１７（ｂ）は第４回転姿勢における縦断面図であり、図１７（ｃ）は第５回転姿勢における縦断面図であり、図１７（ｄ）は第６回転姿勢における縦断面図である。
【図１８】図１８は、第１０実施形態に係るインクタンク２１０の使用姿勢における縦断面図である。
【図１９】図１９は、第１１実施形態に係るインクタンク２１１の使用姿勢における縦断面図である。
【図２０】図２０は、第１２実施形態に係るインクタンク２１２の使用姿勢における縦断面図である。
【図２１】図２１は、第１２実施形態に係るインクタンク２１２の縦断面図であって、図２１（ａ）は使用姿勢における縦断面図であり、図２１（ｂ）は第１回転姿勢における縦断面図であり、図２１（ｃ）は第２回転姿勢における縦断面図であり、図２１（ｄ）は第３回転姿勢における縦断面図である。
【図２２】図２２は、第１２実施形態に係るインクタンク２１２の縦断面図であって、図２２（ａ）は使用姿勢における縦断面図であり、図２２（ｂ）は第４回転姿勢における縦断面図であり、図２２（ｃ）は第５回転姿勢における縦断面図であり、図２２（ｄ）は第６回転姿勢における縦断面図である。
【図２３】図２３は、第１３実施形態に係るインクタンク２１３の使用姿勢における縦断面図である。
【図２４】図２４は、第１３実施形態に係るインクタンク２１３の縦断面図であって、図２３（ａ）は使用姿勢における縦断面図であり、図２３（ｂ）は第１回転姿勢における縦断面図であり、図２３（ｃ）は第２回転姿勢における縦断面図であり、図２３（ｄ）は第３回転姿勢における縦断面図である。
【図２５】図２５は、第１３実施形態に係るインクタンク２１３の縦断面図であって、図２３（ａ）は使用姿勢における縦断面図であり、図２３（ｂ）は第４回転姿勢における縦断面図であり、図２３（ｃ）は第５回転姿勢における縦断面図であり、図２３（ｄ）は第６回転姿勢における縦断面図である。
【発明を実施するための形態】
【００３７】
以下、本発明の実施形態について説明する。なお、以下に説明される実施形態は本発明の一例にすぎず、本発明の要旨を変更しない範囲で、本発明の実施形態を適宜変更できることは言うまでもない。プリンタ１０及びインクタンク２０１が使用可能に水平面に設置された姿勢（図１の姿勢であって、「使用姿勢」と表記することがある。）を基準として上下方向７が定義され、キャリッジ３８が往復移動する主走査方向として前後方向８が定義され、前後方向８に直交する方向として左右方向９が定義される。本実施形態では、使用姿勢において、上下方向７が鉛直方向に相当し、前後方向８及び左右方向９が水平方向に相当する。
【００３８】
［第１実施形態に係るプリンタ１０］
第１実施形態に係るプリンタ１０が説明される。
【００３９】
［プリンタ１０の全体構成］
図１に示されるように、プリンタ１０（液体消費装置の一例）は、インクジェット記録方式で用紙１２に画像を記録する画像記録装置である。プリンタ１０は、給送部１５と、給送トレイ２０と、排出トレイ２１と、第１搬送部２２と、第２搬送部２３と、記録部２４と、プラテン４２と、インク供給装置３３と、を備えている。プリンタ１０は、プリント機能の他に、ファクシミリ機能及びスキャナ機能などの各種の機能を有してもよい。
【００４０】
［給送トレイ２０、排出トレイ２１］
給送トレイ２０は、プリンタ１０の下部に位置しており、前後方向８に沿って挿抜可能である。給送トレイ２０は、積層された複数の用紙１２を支持可能である。排出トレイ２１は、給送トレイ２０と一体に構成されており、給送トレイ２０の上方に位置する。排出トレイ２１は、給送トレイ２０と共に挿抜される。排出トレイ２１は、第２搬送部２３によって記録部２４とプラテン４２との間から排出された用紙１２を支持する。
【００４１】
［給送部１５］
図１に示されるように、給送部１５は、給送ローラ２５と、給送アーム２６と、軸２７とを備える。給送部１５は、給送トレイ２０に支持された用紙１２を搬送経路１３へ給送する。給送ローラ２５は、給送アーム２６の先端に回転可能に支持されている。給送ローラ２５は、図示せぬモータによって正回転に駆動される。給送アーム２６は、プリンタ１０のフレームに支持された軸２７に回動可能に支持されている。給送アーム２６は、自重或いはバネ等による弾性力によって給送トレイ２０に向かって回動付勢されている。
【００４２】
給送ローラ２５の正回転は、給送ローラ２５が用紙１２を搬送向き１６に搬送する向きに回転することを指している。以下、給送ローラ２５以外の他のローラについても、正回転は、用紙１２を搬送向き１６に搬送する向きに回転することを指す。
【００４３】
［搬送経路１３］
図１に示されるように、搬送経路１３は、給送トレイ２０の後端部から上方に延びつつ前方にＵターンし、記録部２４とプラテン４２との間の空間を経て排出トレイ２１に至る経路である。プリンタ１０は、間隔を空けて対向する外側ガイド部材１８及び内側ガイド部材１９を備えており、外側ガイド部材１８及び内側ガイド部材１９の内部空間によって、Ｕターンする部分の搬送経路１３が形成されている。第１搬送部２２及び第２搬送部２３の間における搬送経路１３は、前後方向８におけるプリンタ１０の概ね中央部に位置し且つ左右方向９に延びている。用紙１２の搬送向き１６は、搬送経路１３に沿って設けられた矢印により示されている。
【００４４】
［第１搬送部２２、第２搬送部２３］
図１に示されるように、第１搬送部２２は、記録部２４より搬送向き１６の上流に位置している。第１搬送部２２は、互いに対向する搬送ローラ３１及びピンチローラ３２を有する。ピンチローラ３２は搬送ローラ３１よりも上方に位置する。用紙１２は、搬送ローラ３１及びピンチローラ３２によりニップされる。搬送ローラ３１は、図示せぬモータによって駆動される。ピンチローラ３２は、搬送ローラ３１の回転に伴って連れ回る。ニップされた用紙１２は、正回転する搬送ローラ３１及びピンチローラ３２により、搬送向き１６に搬送される。
【００４５】
第２搬送部２３は、記録部２４より搬送向き１６の下流に位置している。第２搬送部２３は、互いに対向する排紙ローラ３４及び拍車３５を有する。拍車３５は排紙ローラ３４よりも上方に位置する。用紙１２は、排紙ローラ３４及び拍車３５によりニップされる。排紙ローラ３４は、図示せぬモータによって駆動される。拍車３５は、排紙ローラ３４の回転に伴って連れ回る。ニップされた用紙１２は、正回転する排紙ローラ３４及び拍車３５により、搬送向き１６に搬送される。
【００４６】
［プラテン４２］
図１に示されるように、プラテン４２は、搬送向き１６における第１搬送部２２及び第２搬送部２３の間に配置されている。記録部２４及びプラテン４２は、搬送経路１３を挟んで上下方向７に対向して配置されている。記録部２４はプラテン４２よりも上方に位置する。プラテン４２は、記録部２４の下方において搬送経路１３の下面を画定している。
【００４７】
［記録部２４］
図１に示されるように、記録部２４（液体消費部の一例）は、搬送向き１６における第１搬送部２２及び第２搬送部２３の間に配置されている。記録部２４は、キャリッジ３８と、記録ヘッド３９とを備えている。
【００４８】
図２に示されるように、キャリッジ３８は、左右方向９に離間する位置において各々が前後方向８に延設されたガイドレール４３、４４に支持されている。ガイドレール４３、４４は、プリンタ１０のフレームに支持されている。キャリッジ３８は、ガイドレール４４に設けられた公知のベルト機構に連結されている。ベルト機構が図示せぬモータによって駆動されると、ベルト機構に連結されたキャリッジ３８が前後方向８に沿って往復移動する。
【００４９】
図１に示されるように、キャリッジ３８は、記録ヘッド３９を搭載している。記録ヘッド３９の下面には、複数のノズル４０が配置されている。複数のノズル４０の先端は、記録ヘッド３９の下面から露出している。複数のノズル４０の全体は、搬送ローラ３１及びピンチローラ３２よりも搬送向き１６の下流側に位置している。記録ヘッド３９は、ノズル４０からインクを微小なインク滴として吐出する。キャリッジ３８が移動する過程において、プラテン４２に支持されている用紙１２に向けて記録ヘッド３９がインク滴を吐出する。これにより、用紙１２に画像が記録される。
【００５０】
［インク供給装置３３］
図２に示されるように、インク供給装置３３は、４つのインクタンク２０１を備えている。各インクタンク２０１には、異なる色のインクが貯留される。本実施形態では、ブラックインク、イエローインク、シアンインク、及びマゼンタインクがそれぞれ４つのインクタンク２０１に貯留される。インク供給装置３３は、記録部２４に各インクを供給するものである。
【００５１】
図２に示されるように、プリンタ１０は、インク供給装置３３及び記録ヘッド３９を接続する４つのインクチューブ２８と、制御基板及び記録ヘッド３９を電気的に接続するフレキシブルフラットケーブル２９とを備えている。４つのインクチューブ２８はそれぞれ、インク供給装置３３を構成する４つのインクタンク２０１に貯留されたインクを記録ヘッド３９に供給する。４つのインクチューブ２８は束ねられた状態で記録ヘッド３９に接続されている。フレキシブルフラットケーブル２９は、制御基板から出力される制御信号を記録ヘッド３９に伝達する。
【００５２】
［第１実施形態に係るインクタンク２０１］
図３（ａ）に示されるように、インクタンク２０１（タンクの一例）は、ほぼ直方体形状をしている。インクタンク２０１は、インクタンク２０１の使用姿勢において、外壁として、前外壁５１、後外壁５２、上外壁５３、下外壁５４、右外壁５５、及び左外壁５６を備えている。前外壁５１及び後外壁５２は、前後方向８に直交する板状部分である。後外壁５２は、前外壁５１の後方に位置する。上外壁５３及び下外壁５４は、上下方向７に直交する板状部分である。下外壁５４は、上外壁５３の下方に位置する。右外壁５５及び左外壁５６は、左右方向９に直交する板状部分である。左外壁５６は、右外壁５５の左方に位置する。
【００５３】
外壁５１−５６は相互に接続されてほぼ直方体を形成している。上下方向７から視て、上外壁５３の外縁に、前外壁５１、後外壁５２、右外壁５５、及び左外壁５６の上端が接続されており、下外壁５４の外縁に、前外壁５１、後外壁５２、右外壁５５、及び左外壁５６の下端が接続されている。前後方向８から視て、前外壁５１の外縁に、上外壁５３、下外壁５４、右外壁５５、及び左外壁５６の前端が接続されており、後外壁５２の外縁に、上外壁５３、下外壁５４、右外壁５５、及び左外壁５６の後端が接続されている。
【００５４】
左右方向９は、第１方向の一例であり、前後方向８は、第２方向の一例である。右方は、第１方向の一方の向きの一例であり、左方は、第１方向の他方の向きの一例である。
【００５５】
図３（ｂ）に示されるように、これらの外壁５１−５６は、インクタンク２０１の内部空間５７を外部と区画している。インクタンク２０１は、内部空間５７を外部と連通する注入口５８、流出口５９、及び不図示の大気連通口を有している。本実施形態では、注入口５８は、上外壁５３を上下方向に貫通する貫通孔である。注入口５８は、左右方向９において、上外壁５３の中央位置よりも左方に位置している。流出口５９は、右外壁５５を左右方向９に貫通する貫通孔である。流出口５９は、上下方向７において右外壁５５の下端部に位置している。大気連通口は、上外壁５３を上下方向に貫通する貫通孔である。
【００５６】
図３（ａ）に示されるように、インクタンク２０１は、注入口５８に着脱可能なキャップ４９を備えている。ユーザがプリンタ１０を使用する際には、通常はインクタンク２０１の注入口５８はキャップ４９で密閉されている。しかしながら、インクタンク２０１内のインク６０が少なくなった際には、ユーザはキャップ４９を注入口５８から取り外し、その注入口５８からインクタンク２０１内にインク６０を注入する。その後、ユーザは注入口５８をキャップ４９で密閉するのである。また、流出口５９は、インクチューブ２８（図２参照）を介して記録ヘッド３９に接続されている。記録ヘッド３９が駆動されていない状態では、インクタンク２０１内のインクは、流出口５９からインクチューブ２８に向けて流れ出すことはない。
【００５７】
本実施形態では、外壁５１−５６はいずれも樹脂材料で成型されたものであり、概ね同一の肉厚を有している。インクタンク２０１は、前外壁５１又は後外壁５２の少なくとも一方が、残りの外壁に張り合わされて構成されている。前外壁５１又は後外壁５２の少なくとも一方は、樹脂材料が薄膜状に形成されたフィルムであってもよい。
【００５８】
図３（ｂ）に示されるように、インクタンク２０１は、使用姿勢において、左外壁５６から右方に延びる第１内壁６１を有している。第１内壁６１は、上下方向７にほぼ垂直な板状部分である。第１内壁６１は、前外壁５１と後外壁５２とを接続している。第１内壁６１は、本実施形態では、外壁５１−５６と一体に樹脂材料で成型されたものであり、外壁５１−５６の肉厚と概ね同一の肉厚を有している。
【００５９】
第１内壁６１は、内部空間５７を、上下方向７に沿って並ぶ２つの空間である第１空間１０１と第２空間１０２とに区画している。第１空間１０１は、注入口５８が位置する空間である。第２空間１０２は、流出口５９が位置する空間である。第１内壁６１は、第１空間１０１と第２空間１０２とを連通する第１連通孔７１を有している。第１実施形態では、第１連通孔７１は、第１内壁６１と右外壁５５との間に位置している。使用姿勢において、第１内壁６１は、左外壁５６から右外壁５５まで左右方向９に延びてもよく、この場合、第１連通孔７１は、左外壁５６から右外壁５５まで延びる第１内壁６１の中途部分に位置する。
【００６０】
図３（ａ）に示されるように、外壁５１、５２、５５、５６には、満量ラインＬ０が設けられている。満量ラインＬ０は、使用姿勢において、第１内壁６１の下方に位置し、第２空間１０２に貯留されるインク６０（液体の一例）の最大量（最大液体量の一例）を示している。この最大量を超えるインク６０がインクタンク２０１内に貯留されると、ユーザがプリンタ１０を使用する際に正常に動作しなかったり、或いはインク漏れやインク溢れ等の別の不具合を生じやすくなったりする。従って、プリンタの製造者は、使用姿勢において、インクタンク２０１に貯留されるインク６０の最大量をあらかじめ定めている。満量ラインＬ０は、使用姿勢において第２空間１０２に貯留されたインク６０が最大量であるときの液面に対応する位置にある。第２空間１０２において、満量ラインＬ０よりも下方の空間が、第４空間１０４である。また、左外壁５６には、満量ラインＬ０に対応したマーキング４８が設けられている。
【００６１】
［インク漏れ防止構造］
インクタンク２０１は、注入口５８が開放された状態、すなわちキャップ４９が注入口５８から外されている状態で前後方向８に沿った軸回りに傾けられても、内部空間５７からインク６０が外部に漏れることを防止する構造を有している。例えば、インクタンク２０１にインク６０が貯留された状態でプリンタ１０が梱包されて輸送されるような場合に、プリンタ１０が傾けられることがある。インク漏れ防止構造は、このような場合に、インクタンク２０１からインク６０が漏れることを防止するものである。以下において、前後方向８に沿った軸回りの左方に傾けられる場合のインクタンク２０１の姿勢として、第１回転姿勢、第２回転姿勢、及び第３回転姿勢が説明される。前後方向８に沿った軸回りの右方に傾けられる場合のインクタンク２０１の姿勢として、第４回転姿勢、第５回転姿勢、及び第６回転姿勢が説明される。
【００６２】
［第１実施形態の第１回転姿勢］
図４を参照して、使用姿勢から第１回転姿勢に変更されたインクタンク２０１が説明される。図４（ａ）に示されるように、使用姿勢にあるインクタンク２０１の内部空間５７には、満量ラインＬ０までインク６０が貯留されている。
【００６３】
図４（ｂ）には、第１回転姿勢のインクタンク２０１が示されている。第１回転姿勢は、使用姿勢のインクタンク２０１が、前後方向８に沿った軸回りの左方に９０度回転されたときのインクタンク２０１の姿勢である。第１回転姿勢のインクタンク２０１において、第２空間１０２の一部が第３空間１０３である。第３空間１０３は、第１内壁６１、下外壁５４、左外壁５６、前外壁５１、及び後外壁５２によって区画され、第１内壁６１の第１連通孔７１を区画する面の最下位置Ｌ１よりも下方となる空間である。第３空間１０３は、使用姿勢において第４空間１０４（図４（ａ）参照）に貯留されたインク６０を、貯留可能である。第１回転姿勢において、第１内壁６１は、第３空間１０３の容積が第４空間１０４の容積と同等又は大きくなる位置まで、上方に延びている。
【００６４】
［第１実施形態の第４回転姿勢］
図５を参照して、使用姿勢から第４回転姿勢に変更されたインクタンク２０１が説明される。図５（ａ）に示されるように、使用姿勢にあるインクタンク２０１の内部空間５７には、満量ラインＬ０までインク６０が貯留されている。
【００６５】
図５（ｂ）には、第４回転姿勢のインクタンク２０１が示されている。第４回転姿勢は、使用姿勢のインクタンク２０１が、前後方向８に沿った軸回りの右方に９０度回転されたときのインクタンク２０１の姿勢である。第４回転姿勢のインクタンク２０１において、内部空間５７の一部が第１１空間１１１である。第１１空間１１１は、上外壁５３、下外壁５４、右外壁５５、前外壁５１、及び後外壁５２によって区画され、注入口５８よりも下方となる空間である。第１１空間１１１は、使用姿勢において第４空間１０４（図５（ａ）参照）に貯留されたインク６０を、貯留可能である。第４回転姿勢において、注入口５８は、第１１空間１１１の容積が第４空間１０４の容積と同等又は大きくなる位置まで、上方に設けられている。
【００６６】
［第１実施形態の作用効果］
第１実施形態に係るプリンタ１０によれば、インクタンク２０１の姿勢が使用姿勢から前後方向８に沿った軸回りの左方に０から９０度まで回転する第１回転姿勢に変更されても、使用姿勢において満量ラインＬ０よりも下方の第４空間１０４に蓄えられていたインク６０は、第３空間１０３に蓄えられる。したがって、注入口５８が開放された状態でインクタンク２０１が前後方向８の軸周りに回転しても、内部空間５７内のインク６０が外部に流出しにくい。
【００６７】
また、インクタンク２０１の姿勢が使用姿勢から前後方向８に沿った軸回りの右方に０から９０度まで回転する第４回転姿勢に変更されても、第１１空間１１１の容積が第４空間１０４の容積と同等又は大きいので、内部空間５７内のインク６０が外部に流出しにくい。
【００６８】
［第２実施形態に係るインクタンク２０２］
図６から図８を参照して、第２実施形態に係るインクタンク２０２が説明される。第２実施形態に係るインクタンク２０２は、第１実施形態に係るインクタンク２０１の構成に加えて、第２内壁６２を更に備えている。第２実施形態におけるその他の構成は第１実施形態の構成と同様なので、同様の部分については詳細な説明が省略される。
【００６９】
図６に示されるように、インクタンク２０２は、使用姿勢において、第１内壁６１の第１連通孔７１よりも左方に位置する部分から下方に延びる第２内壁６２を備えている。第２内壁６２は、左右方向９に垂直な板状部分である。第２内壁６２は、前外壁５１と後外壁５２とを接続している。第２内壁６２は、本実施形態では、外壁５１−５６と一体に樹脂材料で成型されたものであり、外壁５１−５６の肉厚と概ね同一の肉厚を有している。
【００７０】
［第２実施形態の第１回転姿勢及び第２回転姿勢］
図７を参照して、使用姿勢から第１回転姿勢を経て第２回転姿勢に変更されたインクタンク２０２が説明される。図７（ａ）に示されるように、使用姿勢にあるインクタンク２０２の内部空間５７には、満量ラインＬ０までインク６０が貯留されている。つまり、第４空間１０４にインク６０が満たされている。
【００７１】
図７（ｂ）には、第１回転姿勢のインクタンク２０２が示されている。第１回転姿勢は、使用姿勢のインクタンク２０２が、前後方向８に沿った軸回りの左方に９０度回転されたときのインクタンク２０２の姿勢である。第１回転姿勢のインクタンク２０２において、第２空間１０２は、第２内壁６２の上方に位置する第５空間１０５と、第２内壁６２の下方に位置する第６空間１０６と、に区画されている。第２実施形態の使用姿勢のインクタンク２０２において第２内壁６２が直下方に延びているので、第６空間１０６は、第１実施形態のインクタンク２０１の第３空間１０３と一致する。
【００７２】
第２内壁６２は、第５空間１０５と第６空間１０６とを連通する第２連通孔７２を有している。第２実施形態では、第２連通孔７２は、第２内壁６２と下外壁５４との間に位置している。使用姿勢において、第２内壁６２は、第１内壁６１から下外壁５４まで上下方向７に延びてもよく、この場合、第２連通孔７２は、第１内壁６１から下外壁５４まで延びる第２内壁６２の中途部分に位置する。
【００７３】
図７（ｂ）に示されるように、図７（ａ）に示される使用姿勢において第４空間１０４に貯留されていたインク６０は、第１回転姿勢において、第６空間１０６に貯留される。第６空間１０６の容積は、第４空間の容積よりも大きい。
【００７４】
図７（ｃ）には、第２回転姿勢のインクタンク２０２が示されている。第２回転姿勢は、使用姿勢のインクタンク２０２が、前後方向８に沿った軸回りの左方に１８０度回転されたときのインクタンク２０２の姿勢である。第２回転姿勢のインクタンク２０２において、第６空間１０６の一部が第７空間１０７である。第７空間１０７は、第１内壁６１、第２内壁６２、左外壁５６、前外壁５１、及び後外壁５２によって区画され、第２内壁６２の第２連通孔７２を区画する面の最下位置Ｌ２よりも下方となる空間である。第７空間１０７は、使用姿勢において第４空間１０４（図４（ａ）参照）に貯留されたインク６０を、貯留可能である。第２回転姿勢において、第２内壁６２は、第７空間１０７の容積が第４空間１０４の容積と同等又は大きくなる位置まで、上方に延びている。
【００７５】
図７（ｃ）に示されるように、図７（ｂ）に示される第１回転姿勢において第６空間１０６に貯留されていたインク６０は、第２回転姿勢において、第７空間１０７に貯留される。第７空間１０７の容積は、第４空間１０４の容積と同等又は大きい。したがって、図７（ａ）に示される使用姿勢において第４空間１０４に貯留されていたインク６０は、第２回転姿勢において、第７空間１０７に貯留される。
【００７６】
［第２実施形態の第４回転姿勢及び第５回転姿勢］
図８を参照して、使用姿勢から第４回転姿勢を経て第５回転姿勢に変更されたインクタンク２０２が説明される。図８（ａ）に示されるように、使用姿勢にあるインクタンク２０１の内部空間５７には、満量ラインＬ０までインク６０が貯留されている。つまり、第４空間１０４にインク６０が満たされている。
【００７７】
図８（ｂ）には、第４回転姿勢のインクタンク２０２が示されている。第４回転姿勢は、使用姿勢のインクタンク２０２が、前後方向８に沿った軸回りの右方に９０度回転されたときのインクタンク２０２の姿勢である。第４回転姿勢のインクタンク２０２において、内部空間５７の一部が、第１実施形態において図５（ｂ）を参照して上述された第１１空間１１１である。インクタンク２０２の姿勢が、図８（ａ）に示される使用姿勢から図８（ｂ）に示される第４回転姿勢に変更されるときに、第４空間１０４内のインク６０が、第１１空間１１１内に貯留される。
【００７８】
図８（ｃ）には、第５回転姿勢のインクタンク２０２が示されている。第５回転姿勢は、使用姿勢のインクタンク２０２が、前後方向８に沿った軸回りの右方に１８０度回転されたときのインクタンク２０２の姿勢である。第５回転姿勢は、図７（ｃ）を参照して上述された第２回転姿勢に一致する。
【００７９】
インクタンク２０２の姿勢が、図８（ｂ）に示される第４回転姿勢から図８（ｃ）に示される第５回転姿勢に変更されるときに、第１１空間１１１内のインク６０の一部が、第７空間１０７に貯留され、残りの一部が第１空間１０１に貯留される。第１空間１０１に貯留されたインク６０は、キャップ４９がインクタンク２０２から外された状態では外部に零れる虞がある。
【００８０】
［第２実施形態の作用効果］
第２実施形態に係るプリンタ１０によれば、インクタンク２０１の姿勢が使用姿勢から前後方向８に沿った軸回りの左方に９０から１８０度まで回転する第２回転姿勢に変更されても、使用姿勢において満量ラインＬ０よりも下方の第４空間１０４に蓄えられていたインク６０は、第７空間１０７に蓄えられる。したがって、注入口５８が開放された状態でタンクが前後方向８の軸周りに回転しても、内部空間５７内のインク６０が外部に流出しにくい。
【００８１】
また、インクタンク２０１の姿勢が使用姿勢から前後方向８に沿った軸回りの右方に９０から１８０度まで回転する第５回転姿勢に変更されても、第１１空間１１１内のインク６０の一部が、第７空間１０７に貯留されるので、内部空間５７内のインク６０が外部に流出しにくい。
【００８２】
［第３実施形態に係るインクタンク２０３］
図９（ａ）を参照して、第３実施形態に係るインクタンク２０３が説明される。第３実施形態に係るインクタンク２０３は、第１実施形態に係る第１内壁６１とは異なる第１内壁１６１を備えている。第３実施形態におけるその他の構成は第１実施形態の構成と同様なので、同様の部分については詳細な説明が省略される。
【００８３】
図９（ａ）に示されるように、インクタンク２０３が備える第１内壁１６１は、使用姿勢において、右下方に向けて延びている。使用姿勢において、第１内壁１６１の上面１６１ａは、左外壁５６から右方に延びるにつれて、下方に向かっている。
【００８４】
［第３実施形態の作用効果］
第３実施形態に係るプリンタ１０によれば、使用姿勢において第１内壁１６１が右方に延びるにつれて第１内壁１６１の上面１６１ａが下方に向かうので、インクタンク２０３の姿勢が使用姿勢にあるときに、インク６０が第１内壁１６１の上に溜まることが防止される。そのため、インクタンク２０３の姿勢が使用姿勢にあるときに記録部２４において使用不可能なインク６０が発生することが防止できる。
【００８５】
［第４実施形態に係るインクタンク２０４］
図９（ｂ）を参照して、第４実施形態に係るインクタンク２０４が説明される。第４実施形態に係るインクタンク２０４は、第２実施形態に係るインクタンク２０２において、第３実施形態に係る第１内壁１６１を備えると共に、第２実施形態に係る第２内壁６２とは異なる第２内壁１６２を備えている。第４実施形態におけるその他の構成は第２実施形態の構成と同様なので、同様の部分については詳細な説明が省略される。
【００８６】
図９（ｂ）に示されるように、インクタンク２０４が備える第２内壁１６２は、第１回転姿勢において、右下方に延びており、第２内壁１６２の右側面１６２ａは、第１内壁１６１から右方に延びるにつれて下方に向かっている。したがって、第２内壁１６２は、使用姿勢において、左下方に延びており、第２内壁１６２の右側面１６２ａは、第１内壁１６１から下方に延びるにつれて左方に向かっている。
【００８７】
［第４実施形態の作用効果］
第４実施形態に係るプリンタ１０によれば、使用姿勢において第２内壁１６２が下方に延びるにつれて第２内壁１６２の右側面１６２ａが左方に向かうので、インクタンク２０４の姿勢が第１回転姿勢にあるときに、インク６０が第２内壁６２の上に溜まることが防止され、注入口５８に向けて流れることが防止される。
【００８８】
［第５実施形態に係るインクタンク２０５］
図１０から図１２を参照して、第５実施形態に係るインクタンク２０５が説明される。第５実施形態に係るインクタンク２０５は、第２実施形態に係るインクタンク２０２の構成に加えて、第３内壁６３を更に備えている。第５実施形態におけるその他の構成は第２実施形態の構成と同様なので、同様の部分については詳細な説明が省略される。
【００８９】
図１０に示されるように、インクタンク２０５は、使用姿勢において、第２内壁６２の第２連通孔７２よりも上方に位置する部分から左方に延びる第３内壁６３を備えている。第３内壁６３は、上下方向７に垂直な板状部分である。第３内壁６３は、前外壁５１と後外壁５２とを接続している。第３内壁６３は、本実施形態では、外壁５１−５６と一体に樹脂材料で成型されたものであり、外壁５１−５６の肉厚と概ね同一の肉厚を有している。
【００９０】
［第５実施形態の第１回転姿勢、第２回転姿勢、及び第３回転姿勢］
図１１を参照して、使用姿勢から第１回転姿勢及び第２回転姿勢を経て第３回転姿勢に変更されたインクタンク２０５が説明される。図１１（ａ）に示されるように、使用姿勢にあるインクタンク２０５の内部空間５７には、満量ラインＬ０までインク６０が貯留されている。つまり、第４空間１０４にインク６０が満たされている。
【００９１】
図１１（ｂ）には、第１回転姿勢のインクタンク２０５が示されている。第１回転姿勢は、使用姿勢のインクタンク２０５が、前後方向８に沿った軸回りの左方に９０度回転されたときのインクタンク２０５の姿勢である。第１回転姿勢のインクタンク２０５において、第２空間１０２は、第２実施形態において図７（ｂ）を参照して上述された第５空間１０５と第６空間１０６とに区画されている。図１１（ａ）に示される使用姿勢において第４空間１０４に貯留されていたインク６０は、図１１（ｂ）に示される第１回転姿勢において、第６空間１０６に貯留される。
【００９２】
図１１（ｃ）には、第２回転姿勢のインクタンク２０５が示されている。第２回転姿勢は、使用姿勢のインクタンク２０５が、前後方向８に沿った軸回りの左方に１８０度回転されたときのインクタンク２０５の姿勢である。第２回転姿勢のインクタンク２０５において、第６空間１０６は、第３内壁６３の上方に位置する第８空間１０８と、第３内壁６３の下方に位置する第９空間１０９と、に区画されている。
【００９３】
第３内壁６３は、第８空間１０８と第９空間１０９とを連通する第３連通孔７３を有している。第５実施形態では、第３連通孔７３は、第３内壁６３と左外壁５６との間に位置している。使用姿勢において、第３内壁６３は、第２内壁６２から左外壁５６まで左右方向９に延びてもよく、この場合、第３連通孔７３は、第２内壁６２から左外壁５６まで延びる第３内壁６３の中途部分に位置する。
【００９４】
図１１（ｃ）に示されるように、図１１（ｂ）に示される第１回転姿勢において第６空間１０６に貯留されていたインク６０は、第２回転姿勢において、第９空間１０９に貯留される。第９空間１０９の容積は、第４空間１０４の容積と同等又は大きい。したがって、図１１（ａ）に示される使用姿勢において第４空間１０４に貯留されていたインク６０は、第２回転姿勢において、第９空間１０９に貯留される。
【００９５】
図１１（ｄ）には、第３回転姿勢のインクタンク２０５が示されている。第３回転姿勢は、使用姿勢のインクタンク２０５が、前後方向８に沿った軸回りの左方に２７０度回転されたときのインクタンク２０５の姿勢である。第３回転姿勢のインクタンク２０５において、第９空間１０９の一部が第１０空間１１０である。第１０空間１１０は、第１内壁６１、第２内壁６２、第３内壁６３、前外壁５１、及び後外壁５２によって区画され、第３内壁６３の第３連通孔７３を区画する面の最下位置Ｌ３よりも下方となる空間である。第１０空間１１０は、使用姿勢において第４空間１０４（図４（ａ）参照）に貯留されたインク６０を、貯留可能である。第３回転姿勢において、第３内壁６３は、第１０空間１１０の容積が第４空間１０４の容積と同等又は大きくなる位置まで、上方に延びている。
【００９６】
図１１（ｄ）に示されるように、図１１（ｃ）に示される第２回転姿勢において第９空間１０９に貯留されていたインク６０は、第３回転姿勢において、第１０空間１１０に貯留される。第１０空間１１０の容積は、第４空間１０４の容積と同等又は大きい。したがって、図１１（ａ）に示される使用姿勢において第４空間１０４に貯留されていたインク６０は、第３回転姿勢において、第１０空間１１０に貯留される。
【００９７】
インクタンク２０５の姿勢が前後方向８に沿った軸回りの左方に回転されて第３回転姿勢から使用姿勢に変更されると、第１０空間１１０に貯留されていたインク６０は、第４空間１０４に貯留される。
【００９８】
［第５実施形態の第４回転姿勢、第５回転姿勢、及び第６回転姿勢］
図１２を参照して、使用姿勢から第４回転姿勢及び第５回転姿勢を経て第６回転姿勢に変更されたインクタンク２０５が説明される。図１２（ａ）に示されるように、使用姿勢にあるインクタンク２０５の内部空間５７には、満量ラインＬ０までインク６０が貯留されている。
【００９９】
図１２（ｂ）には、第４回転姿勢のインクタンク２０５が示されている。第４回転姿勢は、使用姿勢のインクタンク２０５が、前後方向８に沿った軸回りの右方に９０度回転されたときのインクタンク２０５の姿勢である。第４回転姿勢は、図１１（ｄ）を参照して上述された第３回転姿勢に一致する。
【０１００】
インクタンク２０５の姿勢が、図１２（ａ）に示される使用姿勢から図１２（ｂ）に示される第４回転姿勢に変更されるときに、第４空間１０４内のインク６０の一部が、第１０空間１１０に貯留され、残りの一部が第５空間１０５に貯留される。
【０１０１】
図１２（ｃ）には、第５回転姿勢のインクタンク２０５が示されている。第５回転姿勢は、使用姿勢のインクタンク２０５が、前後方向８に沿った軸回りの右方に１８０度回転されたときのインクタンク２０５の姿勢である。第５回転姿勢は、図１１（ｃ）を参照して上述された第２回転姿勢に一致する。
【０１０２】
インクタンク２０５の姿勢が、図１２（ｂ）に示される第４回転姿勢から図１２（ｃ）に示される第５回転姿勢に変更されるときに、第１０空間１１０内のインク６０の一部が、第９空間１０９に貯留され、残りの一部が第１空間１０１に貯留される。第１空間１０１に貯留されたインク６０は、キャップ４９がインクタンク２０２から外された状態では外部に零れる虞がある。
【０１０３】
図１２（ｄ）には、第６回転姿勢のインクタンク２０５が示されている。第６回転姿勢は、使用姿勢のインクタンク２０５が、前後方向８に沿った軸回りの右方に２７０度回転されたときのインクタンク２０５の姿勢である。第６回転姿勢は、図１１（ｂ）を参照して上述された第１回転姿勢に一致する。
【０１０４】
インクタンク２０５の姿勢が、図１２（ｃ）に示される第５回転姿勢から図１２（ｄ）に示される第６回転姿勢に変更されるときに、第９空間１０９のインク６０が、第６空間１０６に貯留される。
【０１０５】
インクタンク２０５の姿勢が前後方向８に沿った軸回りの右方に回転されて第６回転姿勢から使用姿勢に変更されると、第６空間１０６に貯留されていたインク６０は、第４空間１０４に貯留される。
【０１０６】
［第５実施形態の作用効果］
第５実施形態に係るプリンタ１０によれば、インクタンク２０５の姿勢が使用姿勢から前後方向８に沿った軸回りの右方に１８０から２７０度まで回転する第６回転姿勢に変更されても、使用姿勢において満量ラインＬ０よりも下方の第４空間１０４に蓄えられていたインク６０の一部は、第６空間１０６に蓄えられる。したがって、注入口５８が開放された状態でインクタンク２０５が前後方向８の軸周りに回転しても、内部空間５７内のインク６０が外部に流出しにくい。
【０１０７】
［第６実施形態に係るインクタンク２０６］
図１３（ａ）を参照して、第６実施形態に係るインクタンク２０６が説明される。第６実施形態に係るインクタンク２０６は、第５実施形態に係るインクタンク２０５において、第３実施形態に係る第１内壁１６１及び第４実施形態に係る第２内壁１６２を備えると共に、第５実施形態に係る第３内壁６３とは異なる第３内壁１６３を備えている。第６実施形態におけるその他の構成は第５実施形態の構成と同様なので、同様の部分については詳細な説明が省略される。
【０１０８】
図１３（ａ）に示されるように、インクタンク２０６が備える第３内壁１６３は、第２回転姿勢において、右下方に延びており、第３内壁１６３の下面１６３ａは、第２内壁１６２から右方に延びるにつれて下方に向かっている。したがって、第３内壁１６３は、使用姿勢において、左上方に延びており、第３内壁１６３の下面１６３ａは、第２内壁１６２から左方に延びるにつれて上方に向かっている。
【０１０９】
［第６実施形態の作用効果］
第６実施形態に係るプリンタ１０によれば、使用姿勢において第３内壁１６３が左方に延びるにつれて第３内壁１６３の下面１６３ａが上方に向かうので、インクタンク２０６の姿勢が第２回転姿勢にあるときに、第３内壁１６３の上のインク６０が第９空間１０９に向けて流れて、注入口５８に向けて流れない。そのため、インク６０が注入口５８からこぼれることが防止できる。
【０１１０】
［第７実施形態に係るインクタンク２０７］
図１３（ｂ）を参照して、第７実施形態に係るインクタンク２０７が説明される。第７実施形態に係るインクタンク２０７は、第６実施形態に係るインクタンク２０６において、第６実施形態に係る第３内壁１６３とは異なる第３内壁２６３を備えている。第７実施形態におけるその他の構成は第６実施形態の構成と同様なので、同様の部分については詳細な説明が省略される。
【０１１１】
図１３（ｂ）に示されるように、インクタンク２０６が備える第３内壁２６３は、使用姿勢において、第２内壁１６２から左方に延びている。第３内壁２６３の下面２６３ａは、第２内壁１６２から左方に延びるにつれて上方に向かっている。また、第３内壁２６３の上面２６３ｂは、第２内壁１６２から左方に延びるにつれて下方に向かっている。
【０１１２】
［第７実施形態の作用効果］
第７実施形態に係るプリンタ１０によれば、使用姿勢において第３内壁２６３が左方に延びるにつれて第３内壁２６３の上面２６３ｂが下方に向かうので、インクタンク２０７の姿勢が使用姿勢にあるときに、インク６０が第３内壁２６３の上に溜まることが防止される。そのため、インクタンク２０７の姿勢が使用姿勢にあるときに記録部２４において使用不可能なインク６０が発生することが防止できる。
【０１１３】
［第８実施形態に係るインクタンク２０８］
図１４及び図１５を参照して、第８実施形態に係るインクタンク２０８が説明される。第８実施形態に係るインクタンク２０８は、第２実施形態に係るインクタンク２０２の構成に加えて、第４内壁６４を更に備えている。第８実施形態におけるその他の構成は第２実施形態の構成と同様なので、同様の部分については詳細な説明が省略される。
【０１１４】
図１４に示されるように、インクタンク２０８は、使用姿勢において、第２内壁６２から左方に延びる４つの第４内壁６４を備えている。各第４内壁６４は、第１内壁６１の下方且つ第３内壁６３の上方に位置している。第４内壁６４は、上下方向７に垂直な板状部分である。第４内壁６４は、前外壁５１と後外壁５２とを接続している。第４内壁６４は、本実施形態では、外壁５１−５６と一体に樹脂材料で成型されたものであり、外壁５１−５６の肉厚と概ね同一の肉厚を有している。
【０１１５】
第４内壁６４は、第３内壁６３等によって区画される第９空間１０９を、第４内壁６４の上方に位置する空間と下方に位置する空間とに区画する。第９空間１０９は、第１内壁６１、第２内壁６２、第３内壁６３、前外壁５１、及び後外壁５２によって区画される空間であって、第５実施形態のインクタンク２０５について図１１（ｃ）を参照して上述された空間である。
【０１１６】
第４内壁６４は、第９空間１０９が第４内壁６４によって区画された上下の空間を連通する第４連通孔７４を有している。第８実施形態では、第４連通孔７４は、第４内壁６４と左外壁５６との間に位置している。使用姿勢において、第４内壁６４は、第２内壁６２から左外壁５６まで左右方向９に延びてもよく、この場合、第４連通孔７４は、第２内壁６２から左外壁５６まで延びる第４内壁６４の中途部分に位置する。
【０１１７】
［第８実施形態の第４回転姿勢、第５回転姿勢、及び第６回転姿勢］
図１５を参照して、使用姿勢から第４回転姿勢及び第５回転姿勢を経て第６回転姿勢に変更されたインクタンク２０８が説明される。図１５（ａ）に示されるように、使用姿勢にあるインクタンク２０８の内部空間５７には、満量ラインＬ０までインク６０が貯留されている。
【０１１８】
図１５（ｂ）には、使用姿勢から第４回転姿勢に至る途中のインクタンク２０８が示されている。第４回転姿勢は、使用姿勢のインクタンク２０８が前後方向８に沿った軸回りの右方に９０度回転されたときのインクタンク２０８の姿勢である。第８実施形態に係るインクタンク２０８は、第９空間１０９を区画する第４内壁６４を有しているので、図１１を参照して上述された第５実施形態に係るインクタンク２０５と比べて、使用姿勢から第４回転姿勢に至るまでの間に、第９空間１０９にインク６０が保持されやすい。
【０１１９】
図１５（ａ）に示される使用姿勢において第４空間１０４に貯留されていたインク６０は、図１５（ｃ）に示される第４回転姿勢において、第１０空間１１０に貯留される。図１５（ｄ）に示されるように、図１５（ｃ）に示される第４回転姿勢において第１０空間１１０に貯留されていたインク６０は、第５回転姿勢において、第９空間１０９に貯留される。
【０１２０】
なお、インクタンク２０８が使用姿勢から第１回転姿勢及び第２回転姿勢を経て第３回転姿勢に変更される場合は、インク６０の貯留における第４内壁６４の影響は小さく、第４内壁６４を有しない第５実施形態のインクタンク２０５の場合と同様である。
【０１２１】
［第８実施形態の作用効果］
第８実施形態に係るプリンタ１０によれば、使用姿勢において第４内壁６４が第９空間１０９を上下に区画しているので、インクタンク２０８の姿勢が使用姿勢から第４回転姿勢に変更されるときに、第９空間１０９から液体がこぼれにくく、注入口５８に向けて流れる液体の量が低減される。
【０１２２】
［第９実施形態に係るインクタンク２０９］
図１６及び図１７を参照して、第９実施形態に係るインクタンク２０９が説明される。第９実施形態に係るインクタンク２０９は、第２実施形態に係るインクタンク２０２において、第２実施形態に係る第１内壁６１とは異なる第１内壁２６１を備えると共に、第５内壁６５を備えている。第５実施形態におけるその他の構成は第２実施形態の構成と同様なので、同様の部分については詳細な説明が省略される。
【０１２３】
図１６に示されるように、インクタンク２０９が備える第１内壁２６１は、使用姿勢において、上外壁５３から右下方に向けて延びている。第１内壁２６１の上端は、注入口５８よりも左方に位置している。
【０１２４】
使用姿勢において、第５内壁６５は、上外壁５３から右下方に向けて延びている。第５内壁６５の上端は、注入口５８よりも右方に位置している。第５内壁６５は、下方に延びる上部６６と、上部６６の下端から右下方に延びる下部６７と、を有している。第１内壁２６１と第５内壁６５との間には上下方向７に隙間があり、注入口５８から第４空間１０４にインク６０が流通可能である。
【０１２５】
第５内壁６５は、使用姿勢において、第１空間１０１を、注入口５８が位置する第１２空間１１２と、第１２空間１１２の右方に位置する第１３空間１１３とに区画する。
【０１２６】
第５内壁６５は、第１２空間１１２と第１３空間１１３とを連通する第５連通孔７５を有している。第９実施形態では、第５連通孔７５は、第５内壁６５と右外壁５５との間に位置している。使用姿勢において、第５内壁６５は、上外壁５３から右外壁５５まで右下方に延びてもよく、この場合、第５連通孔７５は、上外壁５３から右外壁５５まで延びる第５内壁６５の中途部分に位置する。
【０１２７】
［第９実施形態の第４回転姿勢及び第５回転姿勢］
図１７を参照して、使用姿勢から第４回転姿勢を経て第５回転姿勢に変更されたインクタンク２０９が説明される。図１７（ａ）に示されるように、使用姿勢にあるインクタンク２０９の内部空間５７には、満量ラインＬ０までインク６０が貯留されている。つまり、第４空間１０４にインク６０が満たされている。
【０１２８】
図１７（ｂ）には、第４回転姿勢のインクタンク２０９が示されている。第４回転姿勢は、使用姿勢のインクタンク２０９が前後方向８に沿った軸回りの右方に９０度回転されたときのインクタンク２０９の姿勢である。インクタンク２０９の姿勢が使用姿勢から第４回転姿勢に変更されるときに、第４空間１０４内のインク６０が、第１１空間１１１内に貯留される。
【０１２９】
図１７（ｃ）には、第５回転姿勢のインクタンク２０９が示されている。第５回転姿勢は、使用姿勢のインクタンク２０９が、前後方向８に沿った軸回りの右方に１８０度回転されたときのインクタンク２０９の姿勢である。第５回転姿勢において、第１３空間１１３の一部に第１４空間１１４が形成されている。図１６、図１７（ｃ）に示されるように、第１４空間１１４は、第５内壁６５、上外壁５３、右外壁５５、前外壁５１、及び後外壁５２によって区画され、且つ第５内壁６５の第５連通孔７５を区画する面の最下位置Ｌ５より下方の空間である。
【０１３０】
インクタンク２０９の姿勢が、図１７（ｂ）に示される第４回転姿勢から図１７（ｃ）に示される第５回転姿勢に変更されるときに、第１１空間１１１内のインク６０の一部が、第７空間１０７に貯留され、残りの一部が、第４空間１０４から第５空間１０５を経由して第１４空間１１４に流入する。第１４空間１１４は、この間に流入するインク６０の全量を貯留可能である。
【０１３１】
図１７（ｄ）には、第６回転姿勢のインクタンク２０９が示されている。第６回転姿勢は、使用姿勢のインクタンク２０９が、前後方向８に沿った軸回りの右方に２７０度回転されたときのインクタンク２０９の姿勢である。第６回転姿勢において、第１４空間１１４の一部が第１５空間１１５である。図１６、図１７（ｄ）に示されるように、第１５空間１１５は、第１４空間１１４の一部であり、第５内壁６５、上外壁５３、前外壁５１、及び後外壁５２によって区画され、且つ第５内壁６５の第５連通孔７５を区画する面の最下位置Ｌ６より下方の空間である。インクタンク２０９の姿勢が、図１７（ｃ）に示される第５回転姿勢から図１７（ｄ）に示される第６回転姿勢に変更されるときに、第１４空間１１４内のインク６０が第１５空間１１５に貯留される。
【０１３２】
なお、インクタンク２０９が使用姿勢から第１回転姿勢及び第２回転姿勢を経て第３回転姿勢に変更される場合は、第２実施形態のインクタンク２０２の場合と同様である。
【０１３３】
［第９実施形態の作用効果］
第９実施形態に係るプリンタ１０によれば、インクタンク２０９が第５内壁６５を備えているので、インクタンク２０９の姿勢が使用姿勢から前後方向８に沿った軸回りの右方に９０から１８０度まで回転する第５回転姿勢に変更されても、使用姿勢において満量ラインＬ０よりも下方の第４空間１０４に蓄えられていたインク６０のうち、第６空間１０６又は第７空間１０７からこぼれたインク６０は、第１４空間１１４に蓄えられる。したがって、注入口５８が開放された状態でインクタンク２０９が前後方向８の軸周りに回転しても、内部空間５７内のインク６０が外部に流出しにくい。
【０１３４】
また、インクタンク２０９の姿勢が第５回転姿勢から前後方向８に沿った軸回りの右方に１８０から２７０度まで回転する第６回転姿勢に変更されても、第１４空間１１４に蓄えられていたインク６０は、第１５空間１１５に蓄えられる。したがって、注入口５８が開放された状態でインクタンク２０９が前後方向８の軸周りに回転しても、内部空間５７内のインク６０が外部に流出しにくい。
【０１３５】
［第１０実施形態に係るインクタンク２１０］
図１８を参照して、第１０実施形態に係るインクタンク２１０が説明される。第１０実施形態に係るインクタンク２１０は、第９実施形態に係るインクタンク２０９において、第７実施形態に係る第３内壁２６３を更に備えている。第１０実施形態におけるその他の構成は第９実施形態の構成と同様なので、同様の部分については詳細な説明が省略される。
【０１３６】
［第１１実施形態に係るインクタンク２１１］
図１９を参照して、第１１実施形態に係るインクタンク２１１が説明される。第１１実施形態に係るインクタンク２１１は、第１０実施形態に係るインクタンク２１０において、第８実施形態に係る第４内壁６４を更に備えている。第１１実施形態におけるその他の構成は第１０実施形態の構成と同様なので、同様の部分については詳細な説明が省略される。
【０１３７】
［第１２実施形態に係るインクタンク２１２］
図２０から図２２を参照して、第１２実施形態に係るインクタンク２１２が説明される。第１２実施形態に係るインクタンク２１２は、第１実施形態に係るインクタンク２０１において、第１実施形態に係る第１内壁６１とは異なる内壁５０６−５１０を備えている。第１２実施形態におけるその他の構成は第１実施形態の構成と同様なので、同様の部分については詳細な説明が省略される。
【０１３８】
図２０に示されるように、インクタンク２１２は、第６内壁５０６、第７内壁５０７、第８内壁５０８、第９内壁５０９、及び第１０内壁５１０を備えている。
【０１３９】
使用姿勢において、第６内壁５０６は、上外壁５３から右下方に延びており、内部空間５７を、注入口５８が位置する第２０空間１２０と、流出口５９が位置する第２１空間１２１とに区画している。第６内壁５０６は、第２０空間１２０と第２１空間１２１とを連通する第６連通孔６０６を有している。
【０１４０】
使用姿勢において、第７内壁５０７は、第６内壁５０６の下方に位置し、且つ、第６内壁５０６の第６連通孔６０６よりも左方に位置する部分から左方に延びている。第７内壁５０７は、第２１空間１２１を、上方に位置する第２２空間１２２と、下方に位置する第２３空間１２３とに区画している。第７内壁５０７は、第２２空間１２２と第２３空間１２３とを連通する第７連通孔６０７を有している。
【０１４１】
使用姿勢において、第８内壁５０８は、第７内壁５０７よりも下方に位置し、且つ、右外壁５５から左方に延びている。第８内壁５０８は、第２３空間１２３を、上方に位置する第２４空間１２４と、下方に位置する第２５空間１２５とに区画している。第８内壁５０８は、第２４空間１２４と第２５空間１２５とを連通する第８連通孔６０８を有している。
【０１４２】
使用姿勢において、第９内壁５０９は、第８内壁５０８の第８連通孔６０８よりも右方に位置する部分から下方に延びている。第９内壁５０９は、第２５空間１２５を、左方に位置する第２６空間１２６と、右方に位置する第２７空間１２７とに区画している。第９内壁５０９は、第２６空間１２６と第２７空間１２７とを連通する第９連通孔６０９を有している。
【０１４３】
使用姿勢において、第１０内壁５１０は、第９内壁５０９の第９連通孔６０９よりも上方に位置する部分から右方に延びている。第１０内壁５１０は、第２７空間１２７を、上方に位置する第２８空間１２８と、下方に位置する第２９空間１２９とに区画している。第１０内壁５１０は、第２８空間１２８と第２９空間１２９とを連通する第１０連通孔６１０を有している。
【０１４４】
インクタンク２１２に設けられた満量ラインＬ０は、第８内壁５０８の下方に位置し、第２５空間１２５に貯留されるインク６０の最大量を示している。第２５空間１２５において満量ラインＬ０より下方の空間が、第３２空間１３２である。
【０１４５】
［第１２実施形態の第１回転姿勢、第２回転姿勢、及び第３回転姿勢］
図２１を参照して、使用姿勢から第１回転姿勢及び第２回転姿勢を経て第３回転姿勢に変更されたインクタンク２１２が説明される。図２１（ａ）に示されるように、使用姿勢にあるインクタンク２１２の第２５空間１２５には、満量ラインＬ０までインク６０が貯留されている。つまり、第３２空間１３２にインク６０が満たされている。
【０１４６】
図２１（ｂ）には、第１回転姿勢のインクタンク２１２が示されている。第１回転姿勢は、使用姿勢のインクタンク２１２が、前後方向８に沿った軸回りの左方に９０度回転されたときのインクタンク２１２の姿勢である。
【０１４７】
第１回転姿勢のインクタンク２０５において、内部空間５７の一部に、第３０空間１３０及び第３１空間１３１がある。第３０空間１３０は、第８内壁５０８、第９内壁５０９、第１０内壁５１０、前外壁５１、及び後外壁５２によって区画され、且つ、第１０内壁５１０の第１０連通孔６１０を区画する面の最下位置Ｌ１０よりも下方にある。第３１空間１３１は、第７内壁、左外壁５６、下外壁５４、前外壁５１、及び後外壁５２によって区画され、且つ、第７内壁５０７の第７連通孔６０７を区画する面の最下位置よりも下方にある。
【０１４８】
図２１（ａ）に示される使用姿勢において第３２空間１３２に貯留されていたインク６０は、図２１（ｂ）に示される第１回転姿勢において、第３０空間１３０及び第３１空間１３１に貯留される。
【０１４９】
図２１（ｃ）には、第２回転姿勢のインクタンク２１２が示されている。第２回転姿勢は、使用姿勢のインクタンク２１２が、前後方向８に沿った軸回りの左方に１８０度回転されたときのインクタンク２１２の姿勢である。図２１（ｂ）に示される第１回転姿勢において第３０空間１３０及び第３１空間１３１に貯留されていたインク６０は、図２１（ｃ）に示される第２回転姿勢において、第２８空間１２８及び第２２空間１２２に貯留される。
【０１５０】
図２１（ｄ）には、第３回転姿勢のインクタンク２１２が示されている。第３回転姿勢は、使用姿勢のインクタンク２１２が、前後方向８に沿った軸回りの左方に２７０度回転されたときのインクタンク２１２の姿勢である。
【０１５１】
第３回転姿勢のインクタンク２１２において、内部空間５７の一部に、第３３空間１３３がある。第３３空間１３３は、第６内壁５０６、第７内壁５０７、上外壁５３、前外壁５１、及び後外壁５２によって区画され、且つ、第７内壁５０７の第７連通孔６０７を区画する面の最下位置Ｌ７よりも下方にある。
【０１５２】
図２１（ｃ）に示される第２回転姿勢において第２８空間１２８及び第２２空間１２２に貯留されていたインク６０は、図２１（ｄ）に示される第３回転姿勢において、第２７空間１２７及び第３３空間１３３に貯留される。
【０１５３】
インクタンク２１２の姿勢が前後方向８に沿った軸回りの左方に回転されて第３回転姿勢から使用姿勢に変更されると、第２７空間１２７及び第３３空間１３３に貯留されていたインク６０は、第３２空間１３２に貯留される。
【０１５４】
［第１２実施形態の第４回転姿勢、第５回転姿勢、及び第６回転姿勢］
図２２を参照して、使用姿勢から第４回転姿勢及び第５回転姿勢を経て第６回転姿勢に変更されたインクタンク２１２が説明される。図２２（ａ）に示されるように、使用姿勢にあるインクタンク２１２の第３２空間１３２には、満量ラインＬ０までインク６０が貯留されている。
【０１５５】
図２２（ｂ）には、第４回転姿勢のインクタンク２１２が示されている。第４回転姿勢は、使用姿勢のインクタンク２１２が、前後方向８に沿った軸回りの右方に９０度回転されたときのインクタンク２１２の姿勢である。第４回転姿勢は、図２１（ｄ）を参照して上述された第３回転姿勢に一致する。インクタンク２１２の姿勢が、図２２（ａ）に示される使用姿勢から図２２（ｂ）に示される第４回転姿勢に変更されるときに、第３２空間１３２内のインク６０が、第３０空間１３０に貯留される。
【０１５６】
図２２（ｃ）には、第５回転姿勢のインクタンク２１２が示されている。第５回転姿勢は、使用姿勢のインクタンク２１２が、前後方向８に沿った軸回りの右方に１８０度回転されたときのインクタンク２１２の姿勢である。第５回転姿勢は、図２１（ｃ）を参照して上述された第２回転姿勢に一致する。インクタンク２１２の姿勢が、図２２（ｂ）に示される第４回転姿勢から図２２（ｃ）に示される第５回転姿勢に変更されるときに、第３０空間１３０内のインク６０が、第２８空間１２８に貯留される。
【０１５７】
図２２（ｄ）には、第６回転姿勢のインクタンク２１２が示されている。第６回転姿勢は、使用姿勢のインクタンク２１２が、前後方向８に沿った軸回りの右方に２７０度回転されたときのインクタンク２１２の姿勢である。第６回転姿勢は、図２２（ｂ）を参照して上述された第１回転姿勢に一致する。インクタンク２１２の姿勢が、図２２（ｃ）に示される第５回転姿勢から図２２（ｄ）に示される第６回転姿勢に変更されるときに、第２８空間１２８内のインク６０が、第３０空間１３０に貯留される。
【０１５８】
インクタンク２１２の姿勢が前後方向８に沿った軸回りの右方に回転されて第６回転姿勢から使用姿勢に変更されると、第３０空間１３０に貯留されていたインク６０は、第３２空間１３２に貯留される。
【０１５９】
［第１２実施形態の作用効果］
第１２実施形態に係るプリンタ１０によれば、インクタンク２１２の姿勢が使用姿勢から前後方向８に沿った軸回りの左方に０から９０度まで回転する第１回転姿勢に変更されると、使用姿勢において満量ラインＬ０よりも下方の第３２空間に蓄えられていたインク６０の一部は、第３０空間１３０に蓄えられ、残りの一部は、第３１空間１３１に蓄えられる。インクタンク２１２の姿勢が第１回転姿勢から前後方向８に沿った軸回りの左方に９０から１８０度まで回転する第２回転姿勢に変更されると、第３０空間１３０に蓄えられていたインク６０は第２８空間１２８に蓄えられ、第３１空間１３１に蓄えられていたインク６０は第２２空間１２２に蓄えられる。インクタンク２１２の姿勢が第２回転姿勢から前後方向８に沿った軸回りの左方に１８０から２７０度まで回転する第３回転姿勢に変更されると、第２８空間１２８に蓄えられていたインク６０は第２７空間１２７に蓄えられ、第２２空間１２２に蓄えられていたインク６０は第３３空間１３３に蓄えられる。
【０１６０】
また、インクタンク２１２の姿勢が使用姿勢から前後方向８に沿った軸回りの右方に回転して、第４回転姿勢、第５回転姿勢、及び第６回転姿勢のいずれに変更されても、使用姿勢において満量ラインＬ０よりも下方の第３２空間１３２に蓄えられていたインク６０は、第８内壁５０８、第９内壁５０９、第１０内壁５１０、及び外壁５１−５６によって区画される空間に蓄えられる。
【０１６１】
したがって、注入口５８が開放された状態でインクタンク２１２が前後方向８の軸周りに回転しても、内部空間５７内のインク６０が外部に流出しにくい。
【０１６２】
［第１３実施形態に係るインクタンク２１３］
図２３から図２５を参照して、第１３実施形態に係るインクタンク２１３が説明される。第１３実施形態に係るインクタンク２１３は、第１２実施形態に係るインクタンク２０１において、第１１内壁５１１、第１２内壁５１２、及び第１３内壁５１３を更に備えている。第１３実施形態におけるその他の構成は第１２実施形態の構成と同様なので、同様の部分については詳細な説明が省略される。
【０１６３】
図２３に示されるように、インクタンク２１３は、第１１内壁５１１、第１２内壁５１２、及び第１３内壁５１３を備えている。
【０１６４】
使用姿勢において、第１１内壁５１１は、第１０内壁５１０よりも下方に位置し、且つ、左外壁５６から右方に延びている。第１１内壁５１１は、第２９空間１２９を、上方に位置する第３４空間１３４と、下方に位置する第３５空間１３５とに区画している。第１１内壁５１１は、第３４空間１３４と第３５空間１３５とを連通する第１１連通孔６１１を有している。
【０１６５】
使用姿勢において、第１２内壁５１２は、第１１内壁５１１の第１１連通孔６１１よりも左方に位置する部分から下方に延びている。第１２内壁５１２は、第３５空間１３５を、右方に位置する第３６空間１３６と、左方に位置する第３７空間１３７とに区画している。第１２内壁５１２は、第３６空間１３６と第３７空間１３７とを連通する第１２連通孔６１２を有している。
【０１６６】
使用姿勢において、第１３内壁５１３は、第１２内壁５１２の第１２連通孔６１２よりも上方に位置する部分から左方に延びている。第１３内壁５１３は、第３７空間１３７を、上方に位置する第３８空間１３８と、下方に位置する第３９空間１３９とに区画している。第１３内壁５１３は、第３８空間１３８と第３９空間１３９とを連通する第１３連通孔６１３を有している。
【０１６７】
第１３実施形態に係るインクタンク２１３は、第１２実施形態に係るインクタンク２１２の構成に加えて、インクタンク２１２の第２９空間１２９内に、二組の内壁５１１−５１３と、一組の内壁５０８−５１０とをさらに備えたものである。したがって、図２４（ａ）から図２４（ｄ）に示されるように、インクタンク２１３が使用姿勢から、第１回転姿勢、第２回転姿勢、及び第３回転姿勢を経て再び使用姿勢に戻っても、使用姿勢において第３２空間１３２に貯留されていたインク６０は、注入口５８から零れることなく、第３２空間１３２に戻される。同様に、図２５（ａ）から図２５（ｄ）に示されるように、インクタンク２１３が使用姿勢から、第４回転姿勢、第５回転姿勢、及び第６回転姿勢を経て再び使用姿勢に戻っても、使用姿勢において第３２空間１３２に貯留されていたインク６０は、注入口５８から零れることなく、第３２空間１３２に戻される。
【０１６８】
［変形例］
上記各実施形態では、インクタンクの形状は直方体形状であるが、円柱形状であってもよく、限定されない。インクタンクは、例えば上部に傾斜壁を有してもよい。
【０１６９】
上記各実施形態では、注入口５８は上外壁５３に設けられているが、前外壁５１、後外壁５２、右外壁５５、及び左外壁５６のいずれかの上部に設けられてもよい。
【０１７０】
上記各実施形態では、左外壁５６から右方に延びる第１内壁６１の右端と、右外壁５５との間に第１連通孔７１が位置しており、第１連通孔７１が第１内壁６１の右方に位置している。他の内壁６２−６５及び５０６−５１３と、他の連通孔７２−７５及び６０６−６１３とにおいても、同様である。第１内壁６１は、左外壁５６と右外壁５５とを接続してもよく、第１連通孔７１は、第１内壁６１の中途部分に位置してもよい。この場合、前後方向８において第１連通孔７１の幅が第１内壁６１の幅と同一であって、第１内壁６１を左右に分断してもよく、前後方向８において第１連通孔７１の幅が第１内壁６１の幅よりも小さくて第１連通孔７１が第１内壁６１に形成された開口部となっていてもよい。他の内壁６２−６５及び５０６−５１３と、他の連通孔７２−７５及び６０６−６１３とについても同様である。
【０１７１】
上記各実施形態では、上下方向７から視て、第１内壁６１が四角形であるため、第１連通孔７１も四角形である。他の連通孔７２−７５及び６０６−６１３も四角形である。連通孔７１−７５及び６０６−６１３の形状は四角形に限定されるものではなく、他の多角形又は円形であってもよい。第１連通孔７１が四角形である場合、第１連通孔７１を区画する面は、４つの平面からなる角柱の外周面であり、第１連通孔７１を区画する面の最下位置Ｌ１には、いずれかの平面が位置する。第１連通孔７１が他の形状、例えば円形である場合、第１連通孔７１を区画する面は、円柱の外周面であり、第１連通孔７１を区画する面の最下位置Ｌ１には、円柱の外周面の母線が位置する。
【０１７２】
上記各実施形態では、各インクタンクは、外壁に満了ラインＬ０が設けられているが、第４空間１０４は満了ラインＬ０により規定されるものに限らない。例えば、インクタンクに満了ラインＬ０が設けられていない態様では、第２空間１０２の半分の容積が第４空間１０４であってもよい。これにより、第２空間１０２の半分の容積に相当するインク６０が各インクタンクに貯留されているときに、インク６０が注入口５８から零れることが防止される。また、例えば、各インクタンクの外壁に、使用姿勢における上下方向７に沿う目盛りが記されている態様では、最上位置の目盛りの位置や、最下位置の目盛りの位置より下方の空間が第４空間１０４であってもよい。
【０１７３】
また、インクタンクの注入口５８から第２空間１０２へ連通する大気流路及びインク流路が並列して形成されており、注入口５８にインク６０が充填されたボトルが接続される所謂チキンフィード方式により、注入口５８から第２空間１０２へインク６０が供給される態様では、第２空間１０２においてインクの液面が大気流路の下端まで上昇すると、ボトルから第２空間１０２へのインク６０の流入が停止する。この態様では、第２空間１０２において大気流路の下端より下方の空間が第４空間１０４となる。
【０１７４】
また、第８実施形態に係るインクタンク２０８は、第１内壁６１、第２内壁６２、第３内壁６３、及び４つの第４内壁６４を有しているが、インクタンク２０８は、第３内壁を有しなくてもよい。
【符号の説明】
【０１７５】
１０・・・プリンタ（液体消費装置の一例）
２４・・・記録部（液体消費部の一例）
５１・・・前外壁
５２・・・後外壁
５３・・・上外壁
５４・・・下外壁
５５・・・右外壁
５６・・・左外壁
５７・・・内部空間
５８・・・注入口
５９・・・流出口
６０・・・インク（液体の一例）
６１・・・第１内壁
６２・・・第２内壁
６３・・・第３内壁
６４・・・第４内壁
６５・・・第５内壁
６６・・・上部
６７・・・下部
７１−７５・・・連通孔
１０１−１１５・・・第１−第１５空間
１２０−１３９・・・第２０−第３９空間
１６１・・・第１内壁
１６１ａ・・・上面
１６２・・・第２内壁
１６２ａ・・・右側面
１６３・・・第３内壁
１６３ａ・・・下面
２０１−２１３・・・インクタンク（タンクの一例）
２６１・・・第１内壁
２６３・・・第３内壁
２６３ａ・・・下面
２６３ｂ・・・上面
５０６−５１３・・・第６−第１３内壁
６０６−６１３・・・連通孔
【図１】
2018171874.tif 000003
【図２】
2018171874.tif 000004
【図３】
2018171874.tif 000005
【図４】
2018171874.tif 000006
【図５】
2018171874.tif 000007
【図６】
2018171874.tif 000008
【図７】
2018171874.tif 000009
【図８】
2018171874.tif 000010
【図９】
2018171874.tif 000011
【図１０】
2018171874.tif 000012
【図１１】
2018171874.tif 000013
【図１２】
2018171874.tif 000014
【図１３】
2018171874.tif 000015
【図１４】
2018171874.tif 000016
【図１５】
2018171874.tif 000017
【図１６】
2018171874.tif 000018
【図１７】
2018171874.tif 000019
【図１８】
2018171874.tif 000020
【図１９】
2018171874.tif 000021
【図２０】
2018171874.tif 000022
【図２１】
2018171874.tif 000023
【図２２】
2018171874.tif 000024
【図２３】
2018171874.tif 000025
【図２４】
2018171874.tif 000026
【図２５】
2018171874.tif 000027